(57)【特許請求の範囲】
【請求項１】
商品の購入又は役務の提供を受けたことに対する支払いがなされた場合、前記支払いの場所及び額を記憶する制御を実行する記憶制御手段と、
複数の前記支払いを示すシンボルの夫々を、夫々の支払額に応じた形態で、夫々の支払い場所に分布させた地図の画像を、支払先画像として生成する支払先画像生成手段と、
前記支払先画像生成手段により生成された前記支払先画像の表示を制御する表示制御手段と、
商品の購入又は役務の提供を受けたことに対する支払いの画面に、ユーザが過去に利用した場所をログデータから抽出して、支払い場所の候補として表示する候補抽出手段と、
を備える情報処理装置。
【請求項２】
商品の購入又は役務の提供を受けたことに対する支払いがなされた場合、前記支払いの場所及び額を記憶する制御を実行する記憶制御手段と、
複数の前記支払いを示すシンボルの夫々を、夫々の支払額に応じた形態で、夫々の支払い場所に分布させた地図の画像を、支払先画像として生成する支払先画像生成手段と、
前記支払先画像生成手段により生成された前記支払先画像の表示を制御する表示制御手段と、
商品の購入又は役務の提供を受けたことに対する支払いがなされた場合、当該支払いを示すシンボルとして、位置情報のみを示す暫定的な第１シンボルを登録する仮登録手段と、
前記第１シンボルと、所定ベニューを示す第２シンボルとを含む支払先画像の表示が前記表示制御手段により制御されている状態で、前記第２シンボルを前記第１シンボルに重ね合わす操作がなされた場合、前記支払いを示すシンボルを、前記第１シンボルから前記第２シンボルに変更して登録する登録変更手段と、
を備える情報処理装置。
【請求項３】
情報処理装置が実行する情報処理方法であって、
商品の購入又は役務の提供を受けたことに対する支払いがなされた場合、前記支払いの場所及び額を記憶する制御を実行する記憶制御ステップと、
複数の前記支払いを示すシンボルの夫々を、夫々の支払額に応じた形態で、夫々の支払い場所に分布させた地図の画像を、支払先画像として生成する支払先画像生成ステップと、
前記支払先画像生成ステップにより生成された前記支払先画像の表示を制御する表示制御ステップと、
商品の購入又は役務の提供を受けたことに対する支払いの画面に、ユーザが過去に利用した場所をログデータから抽出して、支払い場所の候補として表示するステップと、
を含む情報処理方法。
【請求項４】
情報処理装置が実行する情報処理方法であって、
商品の購入又は役務の提供を受けたことに対する支払いがなされた場合、前記支払いの場所及び額を記憶する制御を実行する記憶制御ステップと、
複数の前記支払いを示すシンボルの夫々を、夫々の支払額に応じた形態で、夫々の支払い場所に分布させた地図の画像を、支払先画像として生成する支払先画像生成ステップと、
前記支払先画像生成ステップにより生成された前記支払先画像の表示を制御する表示制御ステップと、
商品の購入又は役務の提供を受けたことに対する支払いがなされた場合、当該支払いを示すシンボルとして、位置情報のみを示す暫定的な第１シンボルを登録する仮登録ステップと、
前記第１シンボルと、所定ベニューを示す第２シンボルとを含む支払先画像の表示が前記表示制御ステップにより制御されている状態で、前記第２シンボルを前記第１シンボルに重ね合わす操作がなされた場合、前記支払いを示すシンボルを、前記第１シンボルから前記第２シンボルに変更して登録する登録変更ステップと、
を含む情報処理方法。
【請求項５】
情報処理装置を制御するコンピュータに、
商品の購入又は役務の提供を受けたことに対する支払いがなされた場合、前記支払いの場所及び額を記憶する制御を実行する記憶制御ステップと、
複数の前記支払いを示すシンボルの夫々を、夫々の支払額に応じた形態で、夫々の支払い場所に分布させた地図の画像を、支払先画像として生成する支払先画像生成ステップと、
前記支払先画像生成ステップにより生成された前記支払先画像の表示を制御する表示制御ステップと、
商品の購入又は役務の提供を受けたことに対する支払いの画面に、ユーザが過去に利用した場所をログデータから抽出して、支払い場所の候補として表示するステップと、
を含む制御処理を実行させるプログラム。
【請求項６】
情報処理装置を制御するコンピュータに、
商品の購入又は役務の提供を受けたことに対する支払いがなされた場合、前記支払いの場所及び額を記憶する制御を実行する記憶制御ステップと、
複数の前記支払いを示すシンボルの夫々を、夫々の支払額に応じた形態で、夫々の支払い場所に分布させた地図の画像を、支払先画像として生成する支払先画像生成ステップと、
前記支払先画像生成ステップにより生成された前記支払先画像の表示を制御する表示制御ステップと、
商品の購入又は役務の提供を受けたことに対する支払いがなされた場合、当該支払いを示すシンボルとして、位置情報のみを示す暫定的な第１シンボルを登録する仮登録ステップと、
前記第１シンボルと、所定ベニューを示す第２シンボルとを含む支払先画像の表示が前記表示制御ステップにより制御されている状態で、前記第２シンボルを前記第１シンボルに重ね合わす操作がなされた場合、前記支払いを示すシンボルを、前記第１シンボルから前記第２シンボルに変更して登録する登録変更ステップと、
を含む制御処理を実行させるプログラム。
【発明の詳細な説明】
【技術分野】
【０００１】
本発明は、情報処理装置、情報処理方法、及びプログラムに関する。
【背景技術】
【０００２】
従来から、携帯端末は、その位置情報、それ以外の付加情報を地図上に表示することができた。この付加情報には、決済情報が含まれている場合があり、表示地点の支払金額が携帯端末に表示されていた（例えば、特許文献１参照）。
【先行技術文献】
【特許文献】
【０００３】
【特許文献１】特開２００７−０８９０５１号公報
【発明の概要】
【発明が解決しようとする課題】
【０００４】
しかしながら、従来のように携帯端末に単に支払金額が表示されても、ユーザは、当該支払金額を視認することは必ずしも容易でなかった。
従って、ユーザは、過去に複数の店舗で支払いをした場合に、どのような地区のどのような店舗で夫々どのぐらい支払いをしたのか視認したい、という要望が挙げられているが、特許文献１を含め従来の技術では、当該要望に応えられない状況である。
【０００５】
本発明は、このような状況に鑑みてなされたものであり、過去に複数の店舗で支払いをした場合に、どのような地区のどのような店舗で夫々どのぐらい支払いをしたのかをユーザが容易に視認できるようにすることを目的とする。
【課題を解決するための手段】
【０００６】
上記目的を達成するため、本発明の一態様の情報処理装置は、
商品の購入又は役務の提供を受けたことに対する支払いがなされた場合、前記支払いの場所及び額を記憶する制御を実行する記憶制御手段と、
複数の前記支払いを示すシンボルの夫々を、夫々の支払額に応じた形態で、夫々の支払い場所に分布させた地図の画像を、支払先画像として生成する支払先画像生成手段と、
前記支払先画像生成手段により生成された前記支払先画像の表示を制御する表示制御手段と、
を備えることを特徴とする。
【発明の効果】
【０００７】
本発明によれば、過去に複数の店舗で支払いをした場合に、どのような地区のどのような店舗で夫々どのぐらい支払いをしたのかをユーザが容易に視認できるようになる。
【図面の簡単な説明】
【０００８】
【図１】本発明の一実施形態に係る情報処理システムの構成を示す図である。
【図２】図１の情報処理システムのうち、本発明の情報処理装置の一実施形態としてのユーザ端末のハードウェア構成を示すブロック図である。
【図３】ユーザ端末の機能的構成のうち、このような画像表示処理を実行するための機能的構成を示す機能ブロック図である。
【図４】図３の機能的構成を有するユーザ端末の表示部の画面遷移を示す状態遷移図である。
【図５】図３の機能的構成を有するユーザ端末の表示部の画面の一例を示す図である。
【図６】図３の機能的構成を有するユーザ端末の表示部の画面遷移を示す状態遷移図である。
【図７】図３の機能的構成を有するユーザ端末の表示部の画面の一例を示す図である。
【図８】図３の機能的構成を有するユーザ端末の表示部の画面の一例を示す図である。
【図９】図３の機能的構成を有するユーザ端末の表示部の画面の一例を示す図である。
【図１０】図３の機能的構成を有するユーザ端末の表示部の画面の一例を示す図である。
【図１１】ベニュー推測割当機能を説明するための、ユーザ端末の表示部の画面の一例を示す図である。
【図１２】ベニュー後登録機能を説明するための、ユーザ端末の表示部の画面の一例を示す図である。
【発明を実施するための形態】
【０００９】
以下、図面を参照しながら、本発明の実施形態について説明する。
【００１０】
［情報処理システムの概要］
図１は、本発明の一実施形態に係る情報処理システムの構成を示す図である。
図１に示す情報処理システムは、ユーザ端末１−１〜１−Ｎと、サーバ２と、ベニュー端末３−１〜３−Ｎとが、ネットワークＮを介して相互に接続されることによって構成されている。
【００１１】
図１に示す情報処理システムは、ユーザにより商品の購入や役務の提供を受けたことに対する支払いがなされる毎に、ユーザの意思で当該支払いの記録及びその付随情報を履歴として蓄積していくサービス、即ち、家計簿作成支援サービスを提供する際に適用される。
本サービスの提供者は、サーバ２を管理しているものとする。ここでいう管理は、提供者自身が直接的に管理していることの他、サーバの運営会社等別の者に管理を委託する等間接的に管理していることも含むものとする。
【００１２】
本サービスの第１の特徴として、ユーザの提示要求に応じて、一の支払場所及び支払額を示すシンボルを夫々の支払額に応じた形態で、夫々の支払場所に分布させた地図の画像を、ユーザに提示するサービスがある。
シンボルとは、地図上に表示された支払場所に表示可能な、文字、図形、記号若しくはこれらの結合又はこれらと色彩との結合をいう。例えば本実施形態では、文字や色彩とを組合せたピン形状の図形（以下、「ピン」と呼ぶ）が、シンボルとして採用されている。
ここで、「支払場所」の単位は、ベニューであるものとする。従って、シンボルが示す「支払場所」は、原則として１つのベニューを意味するが、後述するように、地図の表示倍率を下げた場合には、複数のベニューがまとめられて、当該複数のベニューが存在する１つの地区を意味する場合もある。
また、ベニューとは、商品又は役務の対価の支払い行為が行われた場所であって、当該対価の支払い先が管理する場所、例えば店舗等をいう。
具体的には例えば、ベニューとは、ワインという商品を購入するワインショップや、飲食物の提供という役務の提供を受けるレストランをいう。
【００１３】
本サービスの第２の特徴として、ユーザの提示要求に応じて、当該ユーザにとって当該支払行為の目的となる人物毎に、支払時の当該ユーザの感情の累計に基づく情報を含む画像を、ユーザに提示するサービスがある。
支払行為の目的となる人物は、当該ユーザによる当該所定の１回の支払い行為において、購入された商品を受け取った者又は役務の提供を受けた者をいう。
ユーザの感情とは、当該所定の１回の支払い行為が行われた際におけるユーザの感情の種類及び度合いをいう。感情の種類及び度合いは、例えば予め定義されていてもよいし、例えば推定されたものでもよい。
【００１４】
本実施形態では、Ｎ人（Ｎは、１以上の任意の整数値）のユーザの夫々が、ユーザ端末１−１〜１−Ｎの夫々を使用するものとする。ただし、以下、ユーザ端末１−１〜１−Ｎを個々に区別する必要がない場合、これらをまとめて単に「ユーザ端末１」と呼ぶ。
本実施形態では、説明の便宜上、Ｍ（Ｍは、Ｎとは独立した１以上の任意の整数値）のベニュー毎に、ベニュー端末３−１〜３−Ｍの夫々が存在するものとする。ただし、以下、ベニュー端末３−１〜３−Ｍを個々に区別する必要がない場合、これらをまとめて単に「ベニュー端末３」と呼ぶ。
【００１５】
図２は、図１の情報処理システムのうち、本発明の情報処理装置の一実施形態としてのユーザ端末１のハードウェア構成を示すブロック図である。
【００１６】
ユーザ端末１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、入力部１６と、表示部１７と、記憶部１８と、通信部１９と、ドライブ２０とを備えている。
【００１７】
ＣＰＵ１１は、ＲＯＭ１２に記録されているプログラム、又は、記憶部１８からＲＡＭ１３にロードされたプログラムに従って各種の処理を実行する。
【００１８】
ＲＡＭ１３には、ＣＰＵ１１が各種の処理を実行する上において必要なデータ等も適宜記憶される。
【００１９】
ＣＰＵ１１、ＲＯＭ１２及びＲＡＭ１３は、バス１４を介して相互に接続されている。このバス１４にはまた、入出力インターフェース１５も接続されている。入出力インターフェース１５には、入力部１６、表示部１７、記憶部１８、通信部１９及びドライブ２０が接続されている。
【００２０】
入力部１６は、例えば表示部１７の表示領域に積層される静電容量式又は抵抗膜式の位置入力センサにより構成され、タッチ操作がなされた位置の座標を検出する。ここで、タッチ操作とは、入力部１６に対する物体（ユーザの指やタッチペン等）の接触又は近接の操作をいう。なお、以下、タッチ操作がなされた位置を「タッチ位置」と呼び、タッチ位置の座標を「タッチ座標」と呼ぶ。
表示部１７は、ディスプレイにより構成され、各種画像を表示する。
即ち、本実施形態では、入力部１６と表示部１７とにより、タッチパネルが構成されている。
【００２１】
記憶部１８は、ＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部１９は、インターネットを含むネットワークＮを介して他の装置（図１の例ではサーバ２やベニュー端末３）との間で行う通信を制御する。
【００２２】
ドライブ２０には、磁気ディスク、光ディスク、光磁気ディスク、或いは半導体メモリ等よりなる、リムーバブルメディア３１が適宜装着される。ドライブ２０によってリムーバブルメディア３１から読み出されたプログラムは、必要に応じて記憶部１８にインストールされる。また、リムーバブルメディア３１は、記憶部２８に記憶されている各種データも、記憶部１８と同様に記憶することができる。
【００２３】
このような構成のユーザ端末１のＣＰＵ１１は、支払内容をユーザから受け付けて記録してからから、当該ユーザの要求に応じて、支払内容に関する各種画像（例えば、後述する支払先画像や人感情別画像）を表示させるまでの一連の処理を実行する。このような処理を以下、「支払内容画像表示処理」と呼ぶ。
【００２４】
図３は、ユーザ端末１の機能的構成のうち、このような支払内容画像表示処理を実行するための機能的構成を示す機能ブロック図である。
【００２５】
ＣＰＵ１１においては、支払内容画像表示処理の実行が制御される場合、支払内容受付部４１と、記憶制御部４２と、地図情報取得部４３、ベニュー情報受付部４４と、支払先画像生成部４５と、表示制御部４６と、人感情別画像生成部６１とが機能する。
記憶部１８の一領域として、支払内容記憶部５１が設けられている。
【００２６】
ユーザは、入力部１６を操作して、１回の支払い行為をする毎に、支払内容を入力する。
支払内容とは、ユーザによる１回の支払い行為に関する各種情報をいい、例えば本実施形態では支払場所と、支払金額と、支払目的人物と、支払者の感情とを含んでいる。支払内容は、その形態や支払内容記憶部５１内の格納手法等は特に限定されない。
支払内容受付部４１は、ユーザが入力部１６を介して入力した支払内容を受け付け、記憶制御部４２へ送信する。
例えば以下、１回のユーザの支払い行為について、支払場所「○○スポーツショップ」、支払金額「１０，０００円」、支払目的人物「Ｓｏｎ」、支払者の感情「Ｇｏｏｄ」が、支払い内容としてユーザにより入力された場合を例として説明する。支払内容受付部４１は当該支払内容を受け付けて、記憶制御部４２へ送信する。
【００２７】
記憶制御部４２は、支払内容受付部４１より受け付けた支払内容を、支払内容記憶部５１に記憶させる制御を実行する。
例えば上述の例では、記憶制御部４２は、支払内容記憶部５１の所定領域に対して、支払場所「○○スポーツショップ」、支払金額「１０，０００円」、支払目的人物「Ｓｏｎ」及び支払者の感情「Ｇｏｏｄ」を対応付けて格納させることで、支払金額を含む支払内容を各支払毎に支払内容記憶部５１に記憶させる。
【００２８】
このように、支払内容記憶部５１は、支払金額を含む支払内容を各支払毎に保持するデータベース（ＤＢ）である。
支払内容記憶部５１の構造は、特に限定されないが、本実施形態では、複数行のリスト構造として構築される。
支払内容記憶部５１の１行には、任意の１回の支払い行為が対応付けられている。
つまり、所定の１行には、所定の１回の支払い行為についての支払い内容として、支払場所と、支払金額と、支払目的人物と、支払者の感情とが含まれているものとする。
【００２９】
支払場所は、当該所定の１回の支払い行為が行われたベニュー、及び当該ベニューの存在場所（住所等）を一意に特定するものであって、例えば、○○スポーツショップや××ワインショップ銀座店等の名称であってもよいし、住所等であってもよいし、或いはまた緯度・経度であってもよい。
【００３０】
支払金額は、当該所定の１回の支払い行為が行われ際にユーザが支払った金額をいう。
例えば、父親がユーザであって、息子のためにサッカーボールを１０，０００円で購入する、という支払い行為が行われたものとする。この場合には、支払金額は、１０，０００円となる。
【００３１】
目的対象人物は、当該ユーザによる当該所定の１回の支払い行為において、購入された商品を受け取った者又は役務の提供を受けた者をいう。例えば、父親がユーザであって、サッカーボールを息子のために購入した場合、つまり父親が対価の支払いをした場合には、目的対象人物は息子となる。
【００３２】
支払時の感情とは、当該所定の１回の支払い行為が行われ際におけるユーザの感情の種類及び度合いをいう。感情の種類は、例えば予め定義されていてもよいし、例えば推定されたものでもよい。また、感情の度合は、連続的（アナログ的）なものであってもよいし、段階的（デジタル的）なものであってもよい。本実施形態では、感情の種類として、Ｇｏｏｄ、Ｂａｄ、Ｏｒｄｉｎａｒｙの３種類が予め定義されているものとする。ユーザは、１回の支払い行為毎に、これら３種類の中から最も相応しい感情の種類を選択するものとする。
例えば、支払者である父親が、ユーザであって、支払い対象人物の息子に対して、その誕生日プレゼントとして、サッカーボールを購入したとする。支払者である父親が、サッカーボールが息子の成長にかかせないものであり、良い買い物をしたと感じた場合、支払者である父親は、感情をＧｏｏｄであると選択する。
【００３３】
地図情報取得部４３は、サーバ２又は図示せぬサーバが保有する全世界の地図情報のうち、現在位置等の所定の地域に関する地図情報について通信部１９を介して取得して、支払先画像生成部４５に提供する。
【００３４】
ベニュー情報受付部４４は、所定のベニューに関するベニュー情報を通信部１９を介して取得して、支払先画像生成部４５に提供する。
【００３５】
ベニュー情報とは、１のベニューについての各種情報をいい、ベニューの名称、ベニューの各種属性（業種、所在地、販売商品や提供役務の内容等）、ベニューの販売商品や提供役務の内容（価格等）、ベニューの広告（ベニュー全体の広告、販売商品や提供役務の広告等）、ベニューのクーポン等を含んでいる。
つまり、ベニュー情報とは、ユーザに提示したいベニューの情報の総称をいい、ベニュー名称を含んでいれば足り、その形態や格納手法等は特に限定されない。
本実施形態では、ベニューの担当者は、ベニュー端末３を操作して、所定のベニュー名称及びベニューのＣＭを含む支払内容を生成する。
【００３６】
支払先画像生成部４５は、複数の支払内容及び地図情報に基づいて、複数の支払いを示すシンボルの夫々を、夫々の支払額に応じた形態で、夫々の支払い場所に分布させた地図の画像（データ）を、支払先画像（データ）として生成する。
なお、本実施形態では、支払先画像は、上述の複数の支払先の各シンボルが分布した地図の画像の他、後述する図４や図５に示される別の画像も用意されている。そこで、以下、上述の複数の支払先の各シンボルが分布した地図の画像を、以下、「支払先マップ表示画像」と呼ぶ。また、詳細については後述するが、支払先画像として、支払先金額ランキング表示画像、及び支払先詳細表示画像も含まれる。支払先詳細表示画像では、支払先がベニュー単位となり、当該ベニューの詳細情報も表示されるため、ベニュー情報受付部４４により受け付けられたベニュー情報が用いられる。ただし、ベニュー情報やこれらの画像の具体例については、図４や図５を参照して後述する。
【００３７】
表示制御部４６は、支払先画像生成部４５により生成された支払先画像を表示部１７に表示させる制御を実行する。
【００３８】
また、人感情別画像生成部６１は、目的対象人物毎に、支払額、及びユーザの感情の累計に基づく情報を含む画像（データ）を、人感情別画像（データ）として生成する。
なお、図４や図５を参照して後述するように、人感情別画像は、人リスト表示画像、人別集計表示画像、及び人感情別表示画像に大別される。
【００３９】
表示制御部４６は、人感情別画像生成部６１により生成された人感情画像を表示部１７に表示させる制御を実行する。
【００４０】
次に、図４を参照して、表示部１７の画面の状態遷移を説明しつつ、図３の機能的構成のうち、主に地図情報取得部４３乃至表示制御部４６が機能する場合のユーザ端末１の動作について説明する。
【００４１】
図４は、図３の機能的構成を有するユーザ端末１の表示部１７の画面遷移を示す状態遷移図である。
図４において、各状態は、１つの長方形で示されており、その長方形に引かれた“Ｓ”を含む符号により判別される。
１つの状態から１つの状態への状態遷移は、所定の条件（以下、「状態遷移条件」と呼ぶ）が満たされると実行される。
このような状態遷移条件は、図４おいては、１つの状態から１つの状態への遷移を表す矢印に、“Ａ”を含む符号を付して表されている。
【００４２】
本実施形態においては、図４に示すように、支払先マップ表示状態Ｓ１が基本の状態になる。ユーザが所定の操作をして支払先画像の表示を指示することで、図示せぬ別の表示状態から支払先マップ表示状態Ｓ１に遷移するものとする。
支払先マップ表示状態Ｓ１では、表示部１７においては、マップ表示部７１、第１支払先一覧表示部７２との１画面表示がなされている。
【００４３】
支払先マップ表示状態Ｓ１において、ユーザは、図５（Ａ）の表示部１７における第１支払先一覧表示部７２を上にスワイプすると、図５（Ｃ）の表示内容がスクロールする。その結果、図５（Ｃ）の追加表示部７７が、表示部１７に表示された状態で、ユーザは、当該追加表示部７７をタップすると、状態遷移条件Ａ１が満たされる。
すると、状態は支払先金額ランキング表示状態Ｓ２に遷移する。この場合に、表示部１７においては支払先金額ランキング一覧表示部７３が表示される。そこで、支払先金額ランキング一覧表示部７３の上部に表示されるＢａｃｋボタンをタップすると、状態遷移条件Ａ２が満たされる。
すると、状態は支払先マップ表示状態Ｓ１に遷移する。
なお、図５における表示部１７の詳細な説明は後述する。
【００４４】
支払先金額ランキング表示状態Ｓ２において、表示部１７の支払先金額ランキング一覧表示部７３のうち、１つのベニューの項目をタップすると、状態遷移条件Ａ３が満たされる。
すると、状態は支払先詳細表示状態Ｓ３に遷移する。
例えば、表示部１７の支払先金額ランキング一覧表示部７３うち、「ＸＹＺ  Ｃｏｆｆｅｅ  Ｓｈｏｐ」が表示された項目をタップすると、支払先詳細表示状態Ｓ３においては、表示部１７に「ＸＹＺ  Ｃｏｆｆｅｅ  Ｓｈｏｐ」の支払先詳細表示画像が表示される。
支払先詳細表示状態Ｓ３において、表示部１７にはベニュー名称表示部７４、ベニュー画像表示部７５、ベニュー情報表示部７６が１画面表示される。そこで、ベニュー名称表示部７４のうち、特定のボタンをタップすると、状態遷移条件Ａ４が満たされる。
すると、状態は支払先金額ランキング表示状態Ｓ２に遷移する。
【００４５】
また、支払先マップ表示状態Ｓ１において、ユーザが第１支払先一覧表示部７２のうち、１つのベニューをタップすると、状態遷移条件Ａ５が満たされる。
すると、状態は支払先詳細表示状態Ｓ３に遷移する。この場合に、表示部１７においてはベニュー名称表示部７４、ベニュー画像表示部７５、ベニュー情報表示部７６が１画面表示される。そこで、ユーザがベニュー名称表示部７４の一部をタップすると、状態遷移条件Ａ６が満たされる。
すると、状態は支払先マップ表示状態Ｓ１に遷移する。
【００４６】
支払先マップ表示状態Ｓ１及び支払先金額ランキング表示状態Ｓ２における表示部１７については、図５を用いて後述する。
以下では、支払先詳細表示状態Ｓ３における表示部１７について、説明する
まず、ベニュー名称表示部７４は、本実施例では、ベニューの名称、支払金額、支払回数が表示されるが、ベニューの住所が表示されてよい。
また、ベニュー画像表示部７５は、ベニューに関する画像が表示される。本実施例では、「ＸＹＺ  Ｃｏｆｆｅｅ  Ｓｈｏｐ」の外観の画像が表示されているが、ベニューに関する画像は、ベニューの外観の画像に限定されず、ベニューの内観でもよい。
さらに、ベニュー情報表示部７６は、ベニューの広告が表示される。本実施例では、「ＸＹＺ  Ｃｏｆｆｅｅ  Ｓｈｏｐ」のＣＭの画像が表示されているが、ベニューの広告はＣＭに限定されず、ベニューのお買い得商品でもよいし、期間限定商品でもよい。
さらに、図示はしないが、ベニューのｗｅｂサイトのリンク、或いはｗｅｂサイト自体が表示部１７に表示されるよういしてもよい。
【００４７】
次に、図５を参照して、ユーザ端末１の表示部１７の画面の表示を説明する。
図５は、図３の機能的構成を有するユーザ端末１の表示部１７の画面の一例を示す図である。
【００４８】
図５（Ａ）〜（Ｃ）の支払先マップ画面は、図４の支払先マップ表示状態Ｓ１におけるユーザ端末１の表示部１７をいう。
なお、図５（Ｂ）の支払先マップ画面は図５（Ａ）の支払先マップ画面の下の部分を表示しているに過ぎず、図５（Ａ）及び（Ｂ）の支払先マップ画面は、同一の画面を表示している。
また、図５（Ｄ）の支払先マップ全画面は、図４の支払先マップ表示状態Ｓ１における画面のうち、ユーザ端末１の表示部１７にマップが全画面に表示されている画面をいう。
【００４９】
図５（Ａ）及び（Ｂ）の支払先マップ画面、及び図５（Ｄ）の支払先マップ全画面におけるマップ表示部７１は、ある特定の地域の地図上に、複数のシンボルが、夫々の支払金額に応じた形態で、複数の支払場所に分布しているものをいう。
マップ表示部７１は、シンボル８１〜８３、センタリングボタン８４、及び支払先一覧表示ボタン８５を含んでいる。
シンボル８１〜８３は、夫々ベニュー概要表示部９１〜９３に表示されているベニューのシンボルを表示している。ベニュー概要表示部９１〜９３の詳細は、後述する。
シンボル（ピン）の形態は、支払金額に応じて変化し、その支払金額（概算でよい）をユーザが視認可能な形態であれば足りる。
即ち、シンボル（ピン）の形態は、支払額そのものを記載することもできるが、支払額によってシンボルの形状（大きさや枠の太さ等）、色等を変更することができる。
また、ここでいう、支払額とは、直前の１回の支払額、直前Ｋ回の支払額の累計、月次の支払額の累計、これまで全ての支払額の累計の全てを含むものである。
センタリングボタン８４は、そのボタンをタップすると、自分（ユーザ端末１）の現在位置がマップ表示部７１の中心になるボタンをいう。
例えば、マップ表示部７１がユーザにより操作されることにより、マップ表示部７１が自分の現在位置と異なるマップを表示していたとする。この場合に、ユーザは、マップ表示部７１におけるマップを自分の現在位置に戻したい場合に、センタリングボタン８４をタップする。このようにしてセンタリングボタン８４がタップされると、自分の現在位置がマップ表示部７１の中心になる。
支払先一覧表示ボタン８５は、タップされると、支払先マップ全画面（Ｄ）から、支払先マップ画面（Ａ）に遷移させるボタンをいう。
【００５０】
図５（Ａ）〜（Ｃ）の支払先マップ画面における第１支払先一覧表示部７２は、複数のベニューの名称、支払金額、及び支払回数を含んでいる。
第１支払先一覧表示部７２は、ベニュー概要表示部９１〜９３を含んでいる。
ベニュー概要表示部９１〜９３は、例えば、本実施例では、ベニューの名称、支払金額、支払回数が含まれている。
例えば、ベニュー概要表示部９１は、ベニューの名称が「ＸＹＺ  Ｃｏｆｆｅｅ  Ｓｈｏｐ」、支払金額「￥２４０，８００」、支払回数「１００」である。
また例えば、ベニュー概要表示部９２は、ベニューの名称が「ａｂｃ  Ｃｏｎｖｉｎｉｅｎｃｅ  Ｓｔｏｒｅ」、支払金額「￥１２０，５３０」、支払回数「５０」である。
さらに例えば、ベニュー概要表示部９３は、ベニューの名称が「ａｂｃ  Ｓｕｐｅｒｍａｒｋｅｔ」、支払金額「￥５０，５００」、支払回数「３０」である。
【００５１】
ここで、例えば、地図情報として、日本東京都中央区銀座周辺の地図（データ）を含む情報が地図情報取得部４３により取得されたものとする。
そして、銀座周辺の地図内において存在する支払内容の１つが、ＸＹＺ  Ｃｏｆｆｅｅ  Ｓｈｏｐに関するものであり、その住所が中央区銀座１−１−１であり既知であるものとする。また、銀座周辺の地図内において存在する支払内容の別の１つが、ａｂｃ  Ｃｏｖｅｎｉｅｎｃｅ  Ｓｔｏｒｅであり、その住所が中央区銀座２−２−２であり既知であるものとする。また、銀座周辺の地図内において存在する支払内容の別の１つが、ＡＢＣ  Ｓｕｐｅｒｍａｒｋｅｔであり、その住所が中央区銀座３−３−３であり既知であるものとする。
この場合、支払先画像生成部４５は、「ＸＹＺ  Ｃｏｆｆｅｅ  Ｓｈｏｐ」を示すシンボル８１と、「ａｂｃ  Ｃｏｖｅｎｉｅｎｃｅ  Ｓｔｏｒｅ」を示すシンボル８２と，「ＡＢＣ  Ｓｕｐｅｒｍａｒｋｅｔ」を示すシンボル８３とを、夫々の支払金額に応じた形態で生成する。
なお、本実施形態では、支払額の累計が支払金額として採用されているものとし、支払金額に応じてピンの色が変化するものとする。
例えば、支払額の累計が２００，０００円以上の高額であれば青になり、支払額の累計が１００，０００円以上２００，０００円未満の中程度であれば緑になり、支払額の累計が１００，０００円未満の少額であれば赤になるものとする。
そして、「ＸＹＺ  Ｃｏｆｆｅｅ  Ｓｈｏｐ」に対する支払額の累計が「￥２４０，８００」であり、「ａｂｃ  Ｃｏｖｅｎｉｅｎｃｅ  Ｓｔｏｒｅ」に対する支払額の累計が「￥１２０，５３０」であり、「ＡＢＣ  Ｓｕｐｅｒｍａｒｋｅｔ」に対する支払額の累計が「￥５０，５００」であるものとする。
この場合、「ＸＹＺ  Ｃｏｆｆｅｅ  Ｓｈｏｐ」を示すシンボル８１としては、高額を示す青色のピンが生成され、「ａｂｃ  Ｃｏｖｅｎｉｅｎｃｅ  Ｓｔｏｒｅ」を示すシンボル８２としては、中程度を示す緑色のピンが生成され、「ＡＢＣ  Ｓｕｐｅｒｍａｒｋｅｔ」を示すシンボル８３としては、少額を示す赤色のピンが生成される。
そして、支払先画像生成部４５は、「ＸＹＺ  Ｃｏｆｆｅｅ  Ｓｈｏｐ」を示すシンボル８１（青色のピン）を、銀座周辺の地図のうち中央区銀座１−１−１の位置の上に配置させ、「ａｂｃ  Ｃｏｖｅｎｉｅｎｃｅ  Ｓｔｏｒｅ」を示すシンボル８２（緑色のピン）を、銀座周辺の地図のうち中央区銀座２−２−２の位置の上に配置させ、「ＡＢＣ  Ｓｕｐｅｒｍａｒｋｅｔ」を示すシンボル８３（赤色のピン）を、銀座周辺の地図のうち中央区銀座３−３−３の位置の上に配置させたような画像を、支払先画像として生成する。
【００５２】
即ち、本実施形態では、図５（Ａ）及び（Ｂ）の支払先マップ画面においては、ベニュー概要表示部９１の支払場所をシンボル８１、ベニュー概要表示部９２の支払場所をシンボル８２、ベニュー概要表示部９３の支払場所をシンボル８３が夫々表示し、夫々のシンボルが銀座周辺の地図に分布している。
【００５３】
図５（Ｃ）の支払先マップ画面における追加表示部７７は、第１支払先一覧表示部７２が支払先金額ランキングのＴＯＰ３を表示している場合に、ランキングのＴＯＰ３以下のランキングを追加表示するためのボタンである。
即ち、図５（Ｃ）の支払先マップ画面における追加表示部７７がタップされると、図５（Ｃ）の支払先マップ画面から図５（Ｅ）の支払先金額ランキング画面に遷移する。
図５（Ｃ）の支払先マップ画面における第２支払先一覧表示部７８は、複数のベニューの名称、支払金額、及び支払回数を含んでいる。
第２支払先一覧表示部７８は、ベニュー概要表示部１０１〜１０３を含んでいる。
ベニュー概要表示部１０１〜１０３は、例えば、本実施例では、ベニューの名称、支払金額、支払回数が含まれている。
例えば、ベニュー概要表示部１０１は、ベニューの名称が「Ｐｏｓｔａｌ  Ｏｆｆｉｃｅ」、支払金額「￥２５，８００」、支払回数「２８」である。
また例えば、ベニュー概要表示部１０２は、ベニューの名称が「ＡＢＣ  Ｍｏｖｉｅ  Ｔｈｅａｔｅｒ」、支払金額「￥２５，８００」、支払回数「２８」である。
さらに例えば、ベニュー概要表示部１０３は、ベニューの名称が「ＸＹＺ  Ｂｏｏｋｓｔｏｒｅ」、支払金額「￥８，５３０」、支払回数「１４」である。
【００５４】
なお、図５（Ａ）及び（Ｂ）の支払先マップ画面における第１支払先一覧表示部７２を第２支払先一覧表示部７８に変更することもできる。この場合には、図５（Ａ）及び（Ｂ）の支払先マップ画面におけるマップ表示部７１のシンボル８１〜８３は、ベニュー概要表示部９１〜９３ではなく、ベニュー概要表示部１０１〜１０３を表示する。
即ち、図５（Ａ）及び（Ｂ）の支払先マップ画面においては、ベニュー概要表示部１０１の支払場所をシンボル８１、ベニュー概要表示部１０２の支払場所をシンボル８２、ベニュー概要表示部１０３の支払場所をシンボル８３が表示している。
この場合には、図５（Ｃ）の支払先マップ画面は、画面上部より、第２支払先一覧表示部７８、第１支払先一覧表示部７２、追加表示部７７の順で表示される。
【００５５】
また、図５（Ｅ）の支払先金額ランキング画面は、図４のＳ２における支払先金額ランキング表示状態における画面をいう。
図５（Ｅ）の支払先金額ランキング画面における支払先金額ランキング一覧表示部７３は、ユーザの支払先毎の支払金額のランキングをベニュー毎に表示している。
支払先金額ランキング一覧表示部７３は、本実施形態では、ベニュー概要表示部９１〜９３及び１０１〜１０３を含んでいる。
ここで、本実施例では、ランキング４位がベニュー概要表示部１０１であるため、ベニュー概要表示部９３の下にベニュー概要表示部１０１が表示されているが、ランキング４位の別のベニューであれば、別のベニュー概要表示部が表示される。
なお、ここで表示しているランキングは、１回の支払額のランキングでもよいし、月次の支払額の累計のランキングでもよいし、支払金額の累計のランキングでもよい。
【００５６】
次に、図６を参照して、表示部１７の画面の状態遷移を説明しつつ、図３の機能的構成のうち、主に人感情別画像生成部及び表示制御部が機能する場合のユーザ端末１の動作について説明する。
【００５７】
図６は、図３の機能的構成を有するユーザ端末１の表示部１７の画面遷移を示す状態遷移図である。
図６において、各状態は、１つの長方形で示されており、その長方形に引かれた“Ｓ”を含む符号により判別される。
１つの状態から１つの状態への状態遷移は、状態遷移条件が満たされると実行される。
このような状態遷移条件は、図６おいては、１つの状態から１つの状態への遷移を表す矢印に、“Ａ”を含む符号を付して表されている。
【００５８】
本実施形態においては、図６に示すように、人リスト表示状態Ｓ１１が基本の状態になる。ユーザが所定の操作をして人感情画像の表示を指示することで、図示せぬ別の表示状態から人リスト表示状態Ｓ１１に遷移するものとする。
人リスト表示状態Ｓ１１では、表示部１７においては、支払目的人物一覧表示部１１１の画面表示がなされている。
【００５９】
人リスト表示状態Ｓ１１において、ユーザが、支払目的人物一覧表示部１１１のうち、１人の支払目的人物の項目をタップすると、状態遷移条件Ａ１１が満たされる。
すると、状態は人別集計表示状態Ｓ１２に遷移する。この場合に、表示部１７においては第１人別集計表示部１１２と第２人別集計表示部１１３とが表示される。そこで、第２人別集計表示部１１３のうち、図８における人別集計表示移行部１４４をタップすると、状態遷移条件Ａ１２が満たされる。
すると、状態は人リスト表示状態Ｓ１１に遷移する。
なお、図７〜９における表示部１７の詳細な説明は後述する。
【００６０】
人別集計表示状態Ｓ１２において、第２人別集計表示部１１３のうち、１つの感情の項目をタップすると、状態遷移条件Ａ１３が満たされる。
すると、状態は支払先詳細表示状態Ｓ１３に遷移する。
例えば、第２人別集計表示部１１３うち、「Ｇｏｏｄ」が表示された項目をタップすると、人感情別表示状態Ｓ３においては、表示部１７に「Ｇｏｏｄ」の人感情別表示画像が表示される。
人感情別表示状態Ｓ１３において、表示部１７には第１人感情別表示部１１４、第２人感情別表示部１１５、第３人感情別表示部１１６が１画面表示される。そこで、ユーザが第１人感情別表示部１１４の一部をタップすると、状態遷移条件Ａ１４が満たされる。
すると、状態は支払先金額ランキング表示状態Ｓ１２に遷移する。
【００６１】
人リスト表示状態Ｓ１１において、ユーザが、支払目的人物一覧表示部１１１のうち、１人の支払目的人物における感情の項目をタップすると、状態遷移条件Ａ１５が満たされる。
すると、状態は人感情別表示状態Ｓ１３に遷移する。
例えば、支払目的人物一覧表示部１１１における「Ｇｏｏｄ」が表示された項目がタップされると、人感情別表示状態Ｓ１３においては、「Ｇｏｏｄ」の人感情別表示画像が表示部１７に表示される。
また、人感情別表示状態Ｓ１３において、ユーザが、第１支払先一覧表示部７２のうち、第１人感情別表示部１１４の一部をタップすると、状態遷移条件Ａ１６が満たされる。
すると、状態は支払先マップ表示状態Ｓ１１に遷移する。
【００６２】
次に、人リスト表示状態Ｓ１１における表示部１７については図７を、人別集計表示状態Ｓ１２における表示部１７については図８を、人感情別表示状態Ｓ１３における表示部１７については図９を用いて、その順番に個別に説明する。
【００６３】
先ず、図７を参照して、図６における人リスト表示状態Ｓ１１におけるユーザ端末１の表示部１７を説明する。
図７は、図３の機能的構成を有するユーザ端末１の表示部１７の画面の一例を示す図である。
人リスト表示状態Ｓ１１におけるユーザ端末１の表示部１７は、支払目的人物一覧表示部１１１を含んでいる。
支払目的人物一覧表示部１１１は、支払目的人物表示部１２１〜１２４と、支払目的人物追加部１２５を含んでいる。
例えば、本実施形態では、支払目的人物表示部１２３は、支払目的人物がＳｏｎ（息子）であり、第１感情表示部１３１と第２感情表示部１３２を含んでいる。ここで、第１感情表示部１３１と第２感情表示部１３２は、支払い行為が行われ際のユーザの感情の種類及び度合いを意味する支払時の感情とその回数を表示している。なお、前述したが、感情の種類は、例えば予め定義されていてもよいし、例えば推定されたものでもよい。
本実施例では、第１感情表示部１３１は支払時の感情が「Ｇｏｏｄ」であり、その回数が「１２０回」、第２感情表示部１３２は支払時の感情が「Ｂａｄ」であり、その回数が「５回」と表示されている。また、感情表示部に支払時の感情として「Ｏｒｄｉｎａｒｙ」、その回数として「Ｌ回」が表示されてもよい。
なお、支払目的人物表示部１２１、１２２、及び１２４は、支払目的人物表示部１２３と同様に第１感情表示部と第２感情表示部を含んでいる。
支払目的人物追加部１２５はタップされると、支払目的人物が追加されるボタンをいう。
例えば、娘が誕生し、家族が増えた場合には、ユーザにより支払目的人物追加部１２５がタップされると、娘が支払目的人物として追加される。
【００６４】
次に、図８を参照して、図６における人別集計表示状態Ｓ１２におけるユーザ端末１の表示部１７を説明する。
図８は、図３の機能的構成を有するユーザ端末１の表示部１７の画面の一例を示す図である。
本実施形態では、ユーザ端末１の表示部１７の画面には、図７における支払目的人物表示部１２３をタップされた場合の人別集計表示状態Ｓ１２におけるユーザ端末１の表示部１７が表示されている。
人別集計表示状態におけるユーザ端末１の表示部１７は、第１人別集計表示部１１２と第２人別集計表示部１１３を含んでいる。
第１人別集計表示部１１２は、本実施形態では、図７における支払目的人物表示部１２３と同様の内容が表示されてもよいし、その他の支払目的人物に関係する情報が記載されてもよい。
また、第２人別集計表示部１１３は、本実施形態では、第１感情金額表示部１４１と、第２感情金額表示部１４２と、第３感情金額表示部１４３と、人別集計表示移行部１４４とを含んでいる。なお、支払時の感情の設定によって、感情金額表示部の表示内容が異なる。本実施形態では、支払時の感情を「Ｇｏｏｄ」、「Ｂａｄ」、「Ｏｒｄｉｎａｒｙ」の３種類とされているため、第１感情金額表示部１４１が「Ｇｏｏｄ」、第２感情金額表示部１４２が「Ｂａｄ」、第３感情金額表示部１４３が「Ｏｒｄｉｎａｒｙ」と表示されているが、例えば、支払時の感情を４種類とすると、第１〜第４感情金額表示部が表示されることとなる。
本実施例では、第１感情金額表示部１４１は、支払時の感情、支払金額が表示されているが、その他、支払回数が表示されてもよい。
なお、本実施形態においては、第１感情金額表示部１４１には、支払時の感情「Ｇｏｏｄ」、支払金額「８８，０００円」と表示されている。
人別集計表示移行部１４４は、人リスト表示状態Ｓ１１におけるユーザ端末１の表示部１７の画面に遷移させるためのボタンである。
即ち、人別集計表示移行部１４４がタップされると、図７の人リスト表示状態Ｓ１１におけるユーザ端末１の表示部１７の画面が支払目的人物一覧表示部１１１を含む支払目的人物一覧表示画面となる。
【００６５】
次に、図９を参照して、図６における人感情別表示状態Ｓ１３におけるユーザ端末１の表示部１７を説明する。
図９は、図３の機能的構成を有するユーザ端末１の表示部１７の画面の一例を示す図である。
人感情別表示状態におけるユーザ端末１の表示部１７は、第１人感情別表示部１１４、第２人感情別表示部１１５、第３人感情別表示部１１６を含んでいる。
本実施例では、図８における第１感情金額表示部１４１をタップされ、人感情別表示状態におけるユーザ端末１の表示部１７が表示される。
第１人感情別表示部１１４には、特定の支払目的人物の支払時の感情が表示される。
本実施例では、支払目的人物がＳｏｎ（息子）であり、支払時の感情は「Ｇｏｏｄ」である。
第２人感情別表示部１１５には、特定の支払目的人物の支払時の感情における支払金額が表示される。
本実施例では、当該支払金額は、「８８，０００円」となっている。
また、第３人感情別表示部１１６は、複数の支払金額表示部を含んでいる。
例えば、本実施形態では、第１支払金額表示部１５１として、３月２６日にサッカーボールに１，８００円支払ったことが表示されている。
また例えば、本実施例では、第２支払金額表示部１５２として、２月１９日に本（Ｂｏｏｋｓ）に２，４００円支払ったことが表示されている。
さらに例えば、本実施例では、第３支払金額表示部１５３として、２月２４日におもちゃ（Ｔｏｙ）に４，３００円支払ったことが表示されている。
【００６６】
ここで、例えば、これまでの支払目的人物「Ｓｏｎ」への支払金額の累計が「１２６，２００円」、支払者の感情「Ｇｏｏｄ」の支払金額の累計が「８６，２００円」、その回数が「１１９回」であったとする。
また、新たに支払内容記憶部５１が、支払金額「１，８００円」、支払目的人物「Ｓｏｎ」、支払者の感情「Ｇｏｏｄ」、商品「サッカーボール」及び支払日「３月２６日」の支払内容を記憶したとする。
この場合、人感情別画像生成部６１は、支払目的人物「Ｓｏｎ」への支払金額の累計「１２８，０００円」、支払者の感情「Ｇｏｏｄ」の支払金額の累計が「８８，０００円」、その回数が「１２０回」となるように人感情別画像を生成する。
また、人感情別画像生成部６１は、支払目的人物が「Ｓｏｎ」、支払者の感情が「Ｇｏｏｄ」である支払目的人感情別表示画像において、商品「サッカーボール」、支払金額「１，８００円」、支払日「３月２６日」という支払情報を含む画像を生成する。
【００６７】
以上説明したように、本実施形態では、例えば、ユーザは、Ｓｏｎ（息子）のために、合計で１２８，０００円支払っているという情報を視認できる。また、ユーザは、その支払額に対するユーザの感情が「Ｇｏｏｄ」である支払額が８８，０００円、「Ｂａｄ」である支払額が２，０００円、「Ｏｒｄｉｎａｒｙ」である支払額が「３８，０００円」であり、ユーザの感情が「Ｇｏｏｄ」である具体的な商品として、「サッカーボール」、その支払日「３月２６日」、その支払金額「１，８００円」であるという情報をさらに視認できる。
即ち、本発明により、ユーザは、複数の支払目的人物への支払額、その感情についての視覚的な情報を入手することが可能となる。
【００６８】
なお、本発明は、上述の実施形態に限定されるものではなく、本発明の目的を達成できる範囲での変形、改良等は本発明に含まれるものである。
【００６９】
上述の実施形態において、支払場所は、支払場所の住所により特定されることを例として説明したが、特にこれに限定されない。
例えば、本発明は、ユーザ端末１に備えられるＧＰＳが、ユーザ端末１の位置に基づいて、支払場所を特定することができる。
【００７０】
ユーザ端末１は、例えば、本発明は、電子機器一般に適用することができる。具体的には、例えば、本発明は、ノート型のパーソナルコンピュータ、テレビジョン受像機、ビデオカメラ、携帯型ナビゲーション装置、携帯電話機、ポータブルゲーム機等に適用可能である。
【００７１】
上述の実施形態では、第１支払先一覧表示部７２又は支払先金額ランキング一覧表示部７３における１つのベニューがタップされると、ユーザ端末１の表示部１７に当該ベニューの支払先詳細表示画像が表示されることを例として説明した。しかし、ベニューの支払先詳細表示画像の形態は特にこれに限定されない。
図１０は、ベニューの支払先詳細表示画像の別の形態を示している。
例えば、第１支払先一覧表示部７２又は支払先金額ランキング一覧表示部７３における１つのベニューがタップされると、ユーザ端末１の表示部１７に図１０における支払先概要表示部２０２が、支払先概要マップ表示部２０３の上に重なるように表示される。ここで、図１０における支払先概要表示部２０２がタップされると、表示部１７に支払先詳細表示画像が表示される状態Ｓ３に遷移し、支払先概要マップ表示部２０３がタップされると、表示部１７に支払先マップ表示画面が表示される状態Ｓ１に遷移する。
なお、支払先概要シンボル２０１とは、支払先概要表示部２０２に表示されるベニューの場所を示すシンボルをいう。
また、支払先概要表示部２０２とは、ベニューの情報の概要を表示する部分である。
支払先概要マップ表示部２０３とは、ベニューの場所の周辺のマップを表示する部分をいう。
【００７２】
即ち本発明の一態様の情報処理装置は、
商品の購入又は役務の提供を受けたことに対する支払いがなされた場合、当該支払いの場所及び額を記憶する制御を実行する記憶制御手段と、
複数の前記支払いを示すシンボルの夫々を、夫々の支払額に応じた形態で、夫々の支払い場所に分布させた地図の画像を、支払先画像として生成する支払先画像生成手段と、
前記支払先画像生成手段により生成された前記支払先画像の表示を制御する表示制御手段と、
を備えれば足りる。
上述の実施例では、複数の支払を示すシンボルの夫々を、夫々の任意の一回の支払額に応じた形態で表示することを前提としているが、支払額の累計に応じた形態で設定してもよい。
また、さらに、地図の画像の表示倍率を変化させて表示させ、表示倍率が一定以下となった場合、同一の地域に属する複数の場所における支払額をまとめたシンボルを、当該地域の当該地図上の対応位置に表示してもよい。
これにより、過去に複数の店舗で支払いをした場合に、どのような地区のどのような店舗で夫々どのぐらい支払いをしたのかをユーザが容易に視認できるようになる。
【００７３】
また、本発明の一態様の情報処理装置は、
商品の購入又は役務の提供を受けた際のユーザの支払行為について、
支払額、前記ユーザにとって前記支払行為の目的となる人物、及び支払時の前記ユーザの感情を記憶する制御を実行する記憶制御手段と、
前記人物毎に、前記支払額、及び前記ユーザの感情の累計に基づく情報を含む画像を、人感情別画像として生成する人感情別画像生成手段と、
前記人感情別画像生成手段により生成された前記人感情別画像の表示を制御する表示制御手段と、
を備えれば足りる。
また、さらに、前記記憶制御手段を一の支払行為に対して、前記ユーザにとって当該支払行為の目的となる人物として、複数の人物を記憶し、当該複数の人物毎に、前記支払額の分配額、及び当該ユーザの感情を別々に記憶するように制御を実行できるようにしてもよい。
これにより、ユーザは、複数の支払目的人物への支払額、その感情についての視覚的な情報を入手することが可能となる。
【００７４】
さらに、上述の実施形態では、ユーザは、入力部１６を操作して、１回の支払い行為をする毎に、支払内容として、支払場所や支払金額等をその都度入力していた。
しかしながら、ユーザの中には、常連店等過去に利用した店舗についても、支払い行為をする毎に、当該支払場所をその都度入力するのは面倒で手間がかかると感じる者もいる。
そこで、ユーザ端末１は、支払い内容の入力時に、ユーザが過去に利用したベニューをログデータから抽出し、それを支払場所として推測し、当該支払場所を自動的に入力する機能（以下、「ベニュー推測機能」と呼ぶ）を有するようにしてもよい。
【００７５】
図１１は、ベニュー推測機能を説明するための、ユーザ端末の表示部の画面の一例を示す図である。
【００７６】
図１１（Ａ）は、支払場所の近傍位置（例えばユーザ端末１の現在位置）に、ユーザが過去に利用したベニュー（支払先として登録済のベニュー）が存在しない場合の画面の一例を示している。
当該画面において、支払いカテゴリ選択器３０１は、購入した商品や支払いのカテゴリを選択するためのＧＵＩである。ユーザは、支払いカテゴリ選択器３０１を回転させる（そのように表示させる）操作を行い、推測対象として所望のカテゴリを示すシンボルを、最上位置（後述するカテゴリ選択結果表示部３０２の最接近位置）に配置させる。
すると、最上位置に配置されたシンボルが示すカテゴリ（図１１（Ａ）の例ではＣａｆｅ）が、推測対象のカテゴリとして選択される。
カテゴリ選択結果表示部３０２には、このようにして選択された、購入した商品や支払いのカテゴリ、即ち推測対象のベニューのカテゴリが表示される。図１１（Ａ）の例では、「Ｃａｆｅ」が表示される。
支払場所候補表示部３０３には、今回入力対象の支払い内容のうち、支払場所（ベニュー）の候補が表示される。ただし、図１１（Ａ）の例では、「Ｃａｆｅ」というカテゴリについては、推測対象となるベニューが存在しない、即ち、ユーザが過去に利用したベニュー（支払先として登録済のベニュー）が存在しないため、支払場所の候補は存在しない。このような場合、ユーザは支払場所を新たに入力して登録する必要がある。そこで、支払場所候補表示部３０３には、「新規記録」が表示される。
【００７７】
図１１（Ｂ）は、支払場所の近傍位置（例えばユーザ端末１の現在位置）に、ユーザが過去に利用したベニュー（支払先として登録済のベニュー）が存在する場合の画面の一例を示している。
図１１（Ｂ）の例では、支払いカテゴリ選択器３０１及びカテゴリ選択結果表示部３０２に示されるように、推測対象のベニューのカテゴリは、「食料品」であることがわかる。
支払場所候補表示部３０３には、この「食料品」のベニューのうち、ユーザが過去に利用したベニュー（支払先として登録済のベニュー）である「〇×△Ａ町店」が表示される。
この図１１（Ｂ）の表示状態で、ユーザは、所定の操作（例えば「ＯＫ」ボタンの押下操作）をするだけで、今回の支払内容のうち支払場所として、「〇×△Ａ町店」を入力することが容易にできる。
【００７８】
なお、支払場所の近傍位置（例えばユーザ端末１の現在位置）に、ユーザが過去に利用したベニュー（支払先として登録済のベニュー）が複数存在する場合には、図１１（Ｃ）に示す様に、これら複数のベニューが推測結果としてユーザに提示される。
この場合、当該画面には、マップ表示部３０５と、選択結果表示部３０６とが表示される。即ち、マップ表示部３０５の下方には、複数の支払場所の候補（複数のベニュー）がリスト表示されるので、ユーザは、所定の操作（例えば選択対象のベニューの項目に対するタッチ操作）をするだけで、複数のベニュー（複数の推測結果）の中から、今回の支払内容のうち支払場所を容易に選択できる。
なお、図１１の例では、「〇×△Ａ町店」が支払場所として選択されている。
【００７９】
以上まとめると、本発明が適用される情報処理装置は、
商品の購入又は役務の提供を受けたことに対する支払いがなされた場合、前記記憶制御手段に既に記憶されている前記支払いの場所のうち、ユーザが過去に利用した場所を、今回の支払場所として推測する推測手段を
さらに備えることもできる。
【００８０】
また、上述の実施形態では、ユーザは、入力部１６を操作して、１回の支払い行為をする毎に、支払場所を入力する場合、ベニューを直接入力していた。
しかしながら、新規開店等の理由によりベニューがマップに登録されていない場合がある。そこで、ユーザ装置１は、次のような機能を有するようにしてもよい。
即ち、ユーザ装置１は、現在位置を取得して、当該現在位置（緯度・経度情報）を暫定的な支払場所として登録する。そして、ある程度時間が経過して、ユーザが過去に支払い行為をしたベニューがマップに新たに登録された場合には、当該マップ上で、支払場所を、暫定的な支払場所から、新たに登録されたベニューに変更する。換言すると、支払場所を示す情報が、緯度・経度情報の単体から、緯度・経度情報とベニューの情報とが紐付いた情報に変換される。このような機能を、以下、「ベニュー後登録機能」と呼ぶ。
【００８１】
図１２は、ベニュー後登録機能を説明するための、ユーザ端末の表示部の画面の一例を示す図である。
図１２に示す様に、ベニュー後登録機能は、図４の支払先マップ表示状態Ｓ１のときに実現される。なお、図１２の例では、図５（Ｄ）の支払先マップ画面（全画面）が用いられているが、図５（Ａ）の支払先マップ画面でもよい。
【００８２】
図１２（Ａ）の支払先マップ画面のマップ表示部４０１において、シンボル４１１〜４１３は、緯度・経度情報のみが登録された暫定的な支払場所を示す虫ピンである。一方、シンボル５０１は、所定のベニューを示すピンである。
ここで、ユーザは、当該所定のベニューで支払いをしたものの、その支払い行為時点でシンボル５０１がマップに登録されていなかったため、その時点の現在位置（緯度・経度）を示すシンボル４１１を支払場所として登録したものとする。
この場合、ユーザは、図１２（Ｂ）から図１２（Ｃ）に示す様な簡単な操作をするだけで、支払場所を、シンボル４１２から、当該所定のベニューを示すシンボル５０１に変更（統合）することができる。
即ち、図１２（Ｂ）に示す様に、ユーザは、虫ピンのシンボル４１２に対してドラッグ操作をして、当該所定のベニューを示すシンボル５０１に重ねあわせる。このとき、ユーザ端末１は、当該所定のベニューを示す情報（図１２（Ｂ）の例ではＡ町弁当店）をベニュー名表示部５０２に表示させる。
そして、図１２（Ｂ）に示す様に、ユーザは、当該所定のベニューを示すシンボル５０１に対して、虫ピンのシンボル４１２が重なった状態で、ドロップ操作をする。これにより、ユーザ端末１は、虫ピンのシンボル４１２を、当該所定のベニューを示すシンボル５０１に吸い込ませ（そのように表示制御をし）、緯度・経度情報と当該所定のベニューとを紐付けた情報を、支払場所の情報として登録し直すことができる。
【００８３】
以上まとめると、本発明が適用される情報処理装置は、
商品の購入又は役務の提供を受けたことに対する支払いがなされた場合、当該支払いを示すシンボルとして、位置情報のみを示す暫定的な第１シンボルを登録する仮登録手段と、
前記第１シンボルと、所定ベニューを示す第２シンボルとを含む支払先画像の表示が前記表示制御手段により制御されている状態で、前記第１シンボルを前記第２シンボルに重ね合わす操作がなされた場合、前記支払いを示すシンボルを、前記第２シンボルから前記第１シンボルに変更して登録する登録変更手段と、
をさらに備えるようにしてもよい。
【００８４】
上述した一連の処理は、ハードウェアにより実行させることもできるし、ソフトウェアにより実行させることもできる。
換言すると、図３の機能的構成は例示に過ぎず、特に限定されない。即ち、上述した一連の処理を全体として実行できる機能がユーザ端末１に備えられていれば足り、この機能を実現するためにどのような機能ブロックを用いるのかは特に図３の例に限定されない。
また、１つの機能ブロックは、ハードウェア単体で構成してもよいし、ソフトウェア単体で構成してもよいし、それらの組合せで構成してもよい。
【００８５】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００８６】
このようなプログラムを含む記録媒体は、ユーザにプログラムを提供するために装置本体とは別に配布される図２のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）、等により構成される。また、装置本体に予め組み込まれた状態でユーザに提供される記録媒体は、例えば、プログラムが記録されている図２のＲＯＭ２２や、図２の記憶部２８に含まれるハードディスク等で構成される。
【００８７】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段等より構成される全体的な装置を意味するものとする。
【符号の説明】
【００８８】
１，１−１〜１−Ｎ・・・ユーザ端末、２・・・サーバ、３，３−１〜３−Ｍ・・・ベニュー端末、１１・・・ＣＰＵ、１２・・・ＲＯＭ、１３・・・ＲＡＭ、１４・・・バス、１５・・・入出力インターフェース、１６・・・入力部、１７・・・表示部、１８・・・記憶部、１９・・・通信部、２０・・・ドライブ、３１・・・リムーバブルメディア、４１・・・支払内容受付部、４２・・・記憶制御部、４３・・・地図情報取得部、４４・・・ベニュー情報受付部、４５・・・支払先画像生成部、４６・・・表示制御部、５１・・・支払内容記憶部、６１・・・人感情別画像生成部、７１・・・マップ表示部、７２・・・第１支払先一覧表示部、７３・・・支払先金額ランキング一覧表示部、７４・・・ベニュー名称表示部、７５・・・ベニュー画像表示部、７６・・・ベニュー情報表示部、７７・・・追加表示部、７８・・・第２支払先一覧表示部、８１、８２、８３・・・シンボル、８４・・・センタリングボタン、８５・・・支払先一覧表示ボタン、９１、９２、９３、１０１、１０２、１０３・・・ベニュー概要表示部、１１１・・・支払目的人物一覧表示部、１１２・・・第１人別集計表示部、１１３・・・第２人別集計表示部、１１４・・・第１人感情別表示部、１１５・・・第２人感情別表示部、１１６・・・第３人感情別表示部、１２１〜１２４・・・支払目的人物表示部、１２５・・・支払目的人物追加部、１３１・・・第１感情表示部、１３２・・・第２感情表示部、１４１・・・第１感情金額表示部、１４２・・・第２感情金額表示部、１４３・・・第３感情金額表示部、１４４・・・人別集計表示移行部、１５１・・・第１支払金額表示部、１５２・・・第２支払金額表示部、１５３・・・第３支払金額表示部、２０１・・・支払先概要シンボル、２０２・・・支払先概要表示部、２０３・・・支払先概要マップ表示部、３０１・・・支払いカテゴリ選択器、３０２・・・カテゴリ選択結果表示部、３０３・・・支払場所候補表示部、３０５・・・マップ表示部、３０６・・・選択結果表示部、４０１・・・マップ表示部、４１１，４１２，４１３，５０１・・・シンボル、５０２・・・ベニュー名表示部
【図１】
0006684061.tif 000002
【図２】
0006684061.tif 000003
【図３】
0006684061.tif 000004
【図４】
0006684061.tif 000005
【図５】
0006684061.tif 000006
【図６】
0006684061.tif 000007
【図７】
0006684061.tif 000008
【図８】
0006684061.tif 000009
【図９】
0006684061.tif 000010
【図１０】
0006684061.tif 000011
【図１１】
0006684061.tif 000012
【図１２】
0006684061.tif 000013